(57)【特許請求の範囲】
【請求項１】
搬送手段により搬送されており且つ人を含む一又は複数の被搬送体を撮像する撮像手段と、
撮像された前記被搬送体の状態を示す状態マークであって、前記人の性別及び予め設定された年齢幅毎に異なる状態マークを記憶する状態マーク記憶手段と、
前記状態に基づいて、前記被搬送体に含まれる前記人の前記年齢幅を検出する属性検出手段と、
前記検出された年齢幅に対応する前記状態マークを、各前記人毎に前記状態マーク記憶手段から読み出す読出手段と、
前記搬送手段外の位置に設置された表示手段と、
前記読み出された状態マークを、当該状態マークが対応する前記人毎に前記表示手段に表示させる表示制御手段と、
を備えることを特徴とする情報表示システム。
【請求項２】
請求項１に記載の情報表示システムにおいて、
前記状態マークは、前記性別及び前記年齢幅を一つのマークで識別可能に示す性別年齢幅マークを含み、
前記属性検出手段は、前記状態に基づいて、前記被搬送体に含まれる前記人の前記性別及び前記年齢幅を検出し、
前記読出手段は、前記検出された性別及び年齢幅に対応する前記性別年齢幅マークを含む前記状態マークを、各前記人毎に前記状態マーク記憶手段から読み出して前記表示制御手段に出力することを特徴とする情報表示システム。
【請求項３】
請求項１又は２に記載の情報表示システムにおいて、
前記表示手段は、前記搬送手段が移動する経路上の当該搬送手段外の位置に設置されていることを特徴とする情報表示システム。
【請求項４】
請求項１から３のいずれか一項に記載の情報表示システムにおいて、
前記撮像手段は、前記搬送手段に設置され且つ赤外線を用いて当該搬送手段により搬送されている前記被搬送体を撮像する赤外線撮像手段であり、
前記状態マーク記憶手段は、前記被搬送体が生物である場合に用いられる前記状態マークである生物マークと、前記被搬送体が非生物である場合に用いられる前記状態マークである非生物マークと、を記憶し、
前記状態に基づいて、前記被搬送体が生物であるか非生物であるかを検出する生物検出手段を更に備え、
前記読出手段は、前記生物検出手段による検出結果に対応する前記生物マーク又は前記非生物マークのいずれか一方を、各前記被搬送体毎に前記状態マーク記憶手段から読み出して前記表示制御手段に出力し、
前記表示制御手段は、出力されてきた前記いずれか一方を、当該いずれか一方が対応する前記被搬送体毎に前記表示手段に表示させることを特徴とする情報表示システム。
【請求項５】
請求項１から３のいずれか一項に記載の情報表示システムにおいて、
前記撮像手段は、前記搬送手段に設置され且つ当該搬送手段により搬送されている前記被搬送体を撮像し、
前記状態マーク記憶手段は、前記被搬送体が動いている場合に対応する前記状態マークである動体マークと、前記被搬送体が静止している場合に対応する前記状態マークである静止体マークと、を記憶し、
前記状態に基づいて、前記被搬送体が動いているか否かを検出する動体検出手段を更に備え、
前記読出手段は、前記動体検出手段による検出結果に対応する前記動体マーク又は前記静止体マークのいずれか一方を、各前記被搬送体毎に前記状態マーク記憶手段から読み出して前記表示制御手段に出力し、
前記表示制御手段は、出力されてきた前記いずれか一方を、当該いずれか一方が対応する前記被搬送体毎に前記表示手段に表示させることを特徴とする情報表示システム。
【請求項６】
請求項１から５のいずれか一項に記載の情報表示システムにおいて、
前記搬送手段の利用者の生活に供される生活情報を記憶する生活情報記憶手段を更に備え、
前記表示制御手段は、前記状態マークと共に前記生活情報を前記表示手段に表示させることを特徴とする情報表示システム。
【請求項７】
請求項１から６のいずれか一項に記載の情報表示システムにおいて、
前記表示手段が設置されている前記位置に前記搬送手段により搬送される前記人が到着したことを検出する到着検出手段を更に備え、
前記表示制御手段は、前記表示手段が設置されている前記位置に前記人が到着したことが検出されたとき、当該人が到着した位置に設置されている前記表示手段における前記状態マークの表示を開始することを特徴とする情報表示システム。
【請求項８】
請求項１から７のいずれか一項に記載の情報表示システムにおいて、
前記搬送手段は集合住宅内に設置されているエレベータの乗りかごであり、
前記人には前記集合住宅の住人が含まれており、
前記表示手段が設置されている位置は、前記集合住宅内のエレベータホールであることを特徴とする情報表示システム。
【請求項９】
搬送手段により搬送されており且つ人を含む一又は複数の被搬送体を撮像する撮像工程と、
撮像された前記被搬送体の状態に基づいて、前記被搬送体に含まれる前記人の年齢幅を検出する属性検出工程と、
前記状態を示す状態マークであって前記人の性別及び予め設定された年齢幅毎に異なる状態マークのうち、前記検出された年齢幅に対応する前記状態マークを、前記搬送手段外の位置に設置された表示手段に、当該状態マークが対応する前記人毎に表示させる表示制御工程と、
を含むことを特徴とする情報表示方法。
【請求項１０】
請求項１から８のいずれか一項に記載の前記撮像手段及び前記表示手段に接続されていると共に、
請求項１から８のいずれか一項に記載の前記状態マーク記憶手段と、
請求項１から８のいずれか一項に記載の前記属性検出手段と、
請求項１から８のいずれか一項に記載の前記読出手段と、
請求項１から８のいずれか一項に記載の前記表示制御手段と、
を備えることを特徴とする情報処理装置。
【請求項１１】
搬送手段により搬送されており且つ人を含む一又は複数の被搬送体を撮像する撮像手段と、前記搬送手段外の位置に設置された表示手段と、に接続されているコンピュータを、
撮像された前記被搬送体の状態に基づいて、前記被搬送体に含まれる前記人の年齢幅を検出する属性検出手段、及び、
前記状態を示す状態マークであって前記人の性別及び予め設定された年齢幅毎に異なる状態マークのうち、前記検出された年齢幅に対応する前記状態マークを、当該状態マークが対応する前記人毎に前記表示手段に表示させる表示制御手段、
として機能させることを特徴とする情報表示用プログラム。
【発明の詳細な説明】
【技術分野】
【０００１】
本発明は、情報表示システム、情報処理装置、情報表示方法及び情報表示用プログラムの技術分野に属する。より詳細には、エレベータの乗りかご等の搬送体内の状態を表示する情報表示システム、情報表示方法及び情報表示用プログラム並びに当該情報表示システムに含まれる情報処理装置の技術分野に属する。
【背景技術】
【０００２】
従来、防犯上の観点から、エレベータの乗りかご内を撮像し、その映像を表示する表示システムがある。例えば下記特許文献１に開示されている技術では、防犯カメラから取得した乗りかご内の映像を解析してその利用者の外観を判別し、当該乗りかご内に設置してあるモニタへ表示する構成とされている。
【先行技術文献】
【特許文献】
【０００３】
【特許文献１】特開２００７−２６１７２２公報
【発明の概要】
【発明が解決しようとする課題】
【０００４】
しかしながら上記特許文献１に開示されている技術では、防犯カメラから取得した映像がそのまま乗りかご内のモニタへ表示される。このため、エレベータの利用者のプライバシー保護が不十分となる場合があるという問題点があった。また、防犯カメラの映像は乗りかご内のモニタにしか表示されないため、実際にエレベータに乗らないと乗りかご内の状況が把握できず、結果として利用者が望ましくない状況で乗りかごに乗らざるを得ない場合があるという問題点もあった。
【０００５】
そこで、本発明は上記の各問題点に鑑みて為されたもので、その課題の一例は、例えばエレベータの利用者に係るプライバシー等を保護しつつ、当該利用者にとって望ましくない状況下でエレベータを利用することを未然に且つ自発的に回避することが可能な情報表示システム、情報表示方法及び情報表示用プログラム並びに当該情報表示システムに含まれる情報処理装置を提供することにある。
【課題を解決するための手段】
【０００６】
上記の課題を解決するために、請求項１に記載の発明は、乗りかご等の搬送手段により搬送されており且つ人を含む一又は複数の被搬送体を撮像するカメラ等の撮像手段と、撮像された前記被搬送体の状態を示す状態マークであって、前記人の性別及び予め設定された年齢幅毎に異なる状態マークを記憶する記憶部等の状態マーク記憶手段と、前記状態に基づいて、前記被搬送体に含まれる前記人の前記年齢幅を検出する処理部等の属性検出手段と、前記検出された年齢幅に対応する前記状態マークを、各前記人毎に前記状態マーク記憶手段から読み出す処理部等の読出手段と、前記搬送手段外の位置に設置されたホールディスプレイ等の表示手段と、前記読み出された状態マークを、当該状態マークが対応する前記人毎に前記表示手段に表示させる処理部等の表示制御手段と、を備える。
【０００７】
請求項１に記載の発明によれば、人を含んで搬送されている被搬送体の状態を各被搬送体毎に示す状態マークを、搬送手段外の位置に設置された表示手段に各被搬送体毎に表示させるので、当該被搬送体自体の画像等を表示させないことで当該被搬送体に係るプライバシー等を保護することができる。また搬送手段内に入ることなく、搬送されている被搬送体の状態を当該搬送手段外から確認することができる。
更に、搬送手段により搬送されている人の属性に対応する状態マークを、当該状態マークが対応する人毎に表示手段に表示させるので、搬送されている人のプライバシー等を保護しつつ且つ搬送手段内に入ることなく、当該搬送されている人の状態を搬送手段外から確認することができる。
更にまた、搬送されている人の年齢幅に対応する状態マークを、当該状態マークが対応する人毎に表示手段に表示させるので、搬送されている人の状態をより詳細に確認することができる。
上記の課題を解決するために、請求項２に記載の発明は、請求項１に記載の情報表示システムにおいて、前記状態マークは、前記性別及び前記年齢幅を一つのマークで識別可能に示す性別年齢幅マークを含み、前記属性検出手段は、前記状態に基づいて、前記被搬送体に含まれる前記人の前記性別及び前記年齢幅を検出し、前記読出手段は、前記検出された性別及び年齢幅に対応する前記性別年齢幅マークを含む前記状態マークを、各前記人毎に前記状態マーク記憶手段から読み出して前記表示制御手段に出力するように構成される。
請求項２に記載の発明によれば、請求項１に記載の発明の作用に加えて、状態マークが性別年齢幅マークを含み、撮像された被搬送体の状態に基づいて被搬送体に含まれる人の年齢幅及び性別を検出し、その検出された年齢幅及び性別に対応する性別年齢幅マークを含む状態マークを各人毎に読み出して表示制御手段に出力する。よって、性別年齢幅マークを含む状態マークを用いることで、搬送されている人のプライバシー等を保護しつつ、当該搬送されている人の状態を搬送手段外からより詳細に確認することができる。
【０００８】
上記の課題を解決するために、請求項３に記載の発明は、請求項１又は２に記載の情報表示システムにおいて、前記表示手段は、前記搬送手段が移動する経路上の当該搬送手段外の位置に設置されている。
【０００９】
請求項３に記載の発明によれば、請求項１又は２に記載の発明の作用に加えて、搬送手段が移動する経路上の搬送手段外の位置に表示手段が設置されているので、搬送手段の利用者が、搬送手段内に入ることなく被搬送体の状態を搬送手段外から確認することができる。
【００１４】
上記の課題を解決するために、請求項４に記載の発明は、請求項１から３のいずれか一項に記載の情報表示システムにおいて、前記撮像手段は、前記搬送手段に設置され且つ赤外線を用いて当該搬送手段により搬送されている前記被搬送体を撮像する赤外線センサ等の赤外線撮像手段であり、前記状態マーク記憶手段は、前記被搬送体が生物である場合に用いられる前記状態マークである生物マークと、前記被搬送体が非生物である場合に用いられる前記状態マークである非生物マークと、を記憶し、前記状態に基づいて、前記被搬送体が生物であるか非生物であるかを検出する処理部等の生物検出手段を更に備え、前記読出手段は、前記生物検出手段による検出結果に対応する前記生物マーク又は前記非生物マークのいずれか一方を、各前記被搬送体毎に前記状態マーク記憶手段から読み出して前記表示制御手段に出力し、前記表示制御手段は、出力されてきた前記いずれか一方を、当該いずれか一方が対応する前記被搬送体毎に前記表示手段に表示させるように構成される。
【００１５】
請求項４に記載の発明によれば、請求項１から３のいずれか一項に記載の発明の作用に加えて、被搬送体が生物であるか非生物であるかに基づき、生物マーク又は非生物マークのいずれか一方を、対応する被搬送体毎に表示手段に表示させるので、被搬送体が生物であるか被生物であるかを搬送手段内に入ることなく搬送手段外から確認することができる。
【００１６】
上記の課題を解決するために、請求項５に記載の発明は、請求項１から３のいずれか一項に記載の情報表示システムにおいて、前記撮像手段は、前記搬送手段に設置され且つ当該搬送手段により搬送されている前記被搬送体を撮像し、前記状態マーク記憶手段は、前記被搬送体が動いている場合に対応する前記状態マークである動体マークと、前記被搬送体が静止している場合に対応する前記状態マークである静止体マークと、を記憶し、前記状態に基づいて、前記被搬送体が動いているか否かを検出する処理部等の動体検出手段を更に備え、前記読出手段は、前記動体検出手段による検出結果に対応する前記動体マーク又は前記静止体マークのいずれか一方を、各前記被搬送体毎に前記状態マーク記憶手段から読み出して前記表示制御手段に出力し、前記表示制御手段は、出力されてきた前記いずれか一方を、当該いずれか一方が対応する前記被搬送体毎に前記表示手段に表示させるように構成される。
【００１７】
請求項５に記載の発明によれば、請求項１から３のいずれか一項に記載の発明の作用に加えて、被搬送体が動いているか否かに基づき、動体マーク又は静止体マークのいずれか一方を、対応する被搬送体毎に表示手段に表示させるので、被搬送体が動体であるか否かを搬送手段内に入ることなく搬送手段外から確認することができる。
【００１８】
上記の課題を解決するために、請求項６に記載の発明は、請求項１から５のいずれか一項に記載の情報表示システムにおいて、前記搬送手段の利用者の生活に供される生活情報を記憶する記憶部等の生活情報記憶手段を更に備え、前記表示制御手段は、前記状態マークと共に前記生活情報を前記表示手段に表示させるように構成される。
【００１９】
請求項６に記載の発明によれば、請求項１から５のいずれか一項に記載の発明の作用に加えて、状態マークと共に生活情報を表示手段に表示させるので、搬送手段を利用する利用者の利便性が向上する。
【００２０】
上記の課題を解決するために、請求項７に記載の発明は、請求項１から６のいずれか一項に記載の情報表示システムにおいて、前記表示手段が設置されている前記位置に前記搬送手段により搬送される前記人が到着したことを検出するホールセンサ等の到着検出手段を更に備え、前記表示制御手段は、前記表示手段が設置されている前記位置に前記人が到着したことが検出されたとき、当該人が到着した位置に設置されている前記表示手段における前記状態マークの表示を開始するように構成される。
【００２１】
請求項７に記載の発明によれば、請求項１から６のいずれか一項に記載の発明の作用に加えて、表示手段が設置されている位置に人が到着したことが検出されたとき、当該人が到着した位置に設置されている表示手段における状態マークの表示を開始するので、被搬手段を利用する人がそのための操作等を開始する前に、搬送されている被搬送体の状態を当該搬送手段外から確認することができる。
【００２２】
上記の課題を解決するために、請求項８に記載の発明は、請求項１から７のいずれか一項に記載の情報表示システムにおいて、前記搬送手段は集合住宅内に設置されているエレベータの乗りかごであり、前記被搬送体には前記集合住宅の住人が含まれており、前記表示手段が設置されている位置は、前記集合住宅内のエレベータホールであるように構成される。
【００２３】
請求項８に記載の発明によれば、請求項１から７のいずれか一項に記載の発明の作用に加えて、搬送手段が集合住宅内に設置されているエレベータの乗りかごであり、被搬送体にはその集合住宅の住人が含まれており、更に表示手段が設置されている位置が、集合住宅内のエレベータホールであるので、搬送されている住人を含む被搬送体の状態を、当該被搬送体自体の画像等を表示させることなく且つエレベータの利用前にエレベータホールで確認することができる。
【００２４】
上記の課題を解決するために、請求項９に記載の発明は、乗りかご等の搬送手段により搬送されており且つ人を含む一又は複数の被搬送体を撮像する撮像工程と、撮像された前記被搬送体の状態に基づいて、前記被搬送体に含まれる前記人の年齢幅を検出する属性検出工程と、前記状態を示す状態マークであって前記人の性別及び予め設定された年齢幅毎に異なる状態マークのうち、前記検出された年齢幅に対応する前記状態マークを、前記搬送手段外の位置に設置された表示手段に、当該状態マークが対応する前記人毎に表示させる表示制御工程と、を含むように構成される。
【００２５】
上記の課題を解決するために、請求項１０に記載の発明は、請求項１から８のいずれか一項に記載の前記撮像手段及び前記表示手段に接続されていると共に、請求項１から８のいずれか一項に記載の前記状態マーク記憶手段と、請求項１から８のいずれか一項に記載の前記属性検出手段と、請求項１から８のいずれか一項に記載の前記読出手段と、請求項１から８のいずれか一項に記載の前記表示制御手段と、を備える。
【００２６】
請求項９又は１０に記載の発明によれば、人を含んで搬送されている被搬送体の状態を各被搬送体毎に示す状態マークを、搬送手段外の位置に設置された表示手段に各被搬送体毎に表示させるので、当該被搬送体自体の画像等を表示させないことで当該被搬送体に係るプライバシー等を保護することができる。また搬送手段内に入ることなく、搬送されている被搬送体の状態を当該搬送手段外から確認することができる。
更に、搬送手段により搬送されている人の属性に対応する状態マークを、当該状態マークが対応する人毎に表示手段に表示させるので、搬送されている人のプライバシー等を保護しつつ且つ搬送手段内に入ることなく、当該搬送されている人の状態を搬送手段外から確認することができる。
更にまた、搬送されている人の年齢幅に対応する状態マークを、当該状態マークが対応する人毎に表示手段に表示させるので、搬送されている人の状態をより詳細に確認することができる。
【００２７】
上記の課題を解決するために、請求項１１に記載の発明は、乗りかご等の搬送手段により搬送されており且つ人を含む一又は複数の被搬送体を撮像するカメラ等の撮像手段と、前記搬送手段外の位置に設置されたホールディスプレイ等の表示手段と、に接続されているコンピュータを、撮像された前記被搬送体の状態に基づいて、前記被搬送体に含まれる前記人の年齢幅を検出する属性検出手段、及び、前記状態を示す状態マークであって前記人の性別及び予め設定された年齢幅毎に異なる状態マークのうち、前記検出された年齢幅に対応する前記状態マークを、当該状態マークが対応する前記人毎に前記表示手段に表示させる表示制御手段、として機能させる。
【００２８】
請求項１１に記載の発明によれば、当該情報表示用プログラムをコンピュータで読み込んで実行させることにより、人を含んで搬送されている被搬送体の状態を各被搬送体毎に示す状態マークを、搬送手段外の位置に設置された表示手段に各被搬送体毎に表示させるように当該コンピュータが機能するので、当該被搬送体自体の画像等を表示させないことで当該被搬送体に係るプライバシー等を保護することができる。また搬送手段内に入ることなく、搬送されている被搬送体の状態を当該搬送手段外から確認することができる。
更に、搬送手段により搬送されている人の属性に対応する状態マークを、当該状態マークが対応する人毎に表示手段に表示させるように当該コンピュータが機能するので、搬送されている人のプライバシー等を保護しつつ且つ搬送手段内に入ることなく、当該搬送されている人の状態を搬送手段外から確認することができる。
更にまた、搬送されている人の年齢幅に対応する状態マークを、当該状態マークが対応する人毎に表示手段に表示させるように当該コンピュータが機能するので、搬送されている人の状態をより詳細に確認することができる。
【発明の効果】
【００２９】
本発明によれば、人を含む被搬送体自体の画像等を表示させないことで当該被搬送体に係るプライバシー等を保護することができる。また搬送手段内に入ることなく、搬送されている被搬送体の状態を当該搬送手段外から確認することができる。
更に、搬送手段により搬送されている人の属性に対応する状態マークを、当該状態マークが対応する人毎に表示手段に表示させるので、搬送されている人のプライバシー等を保護しつつ且つ搬送手段内に入ることなく、当該搬送されている人の状態を搬送手段外から確認することができる。
更にまた、搬送されている人の年齢幅に対応する状態マークを、当該状態マークが対応する人毎に表示手段に表示させるので、搬送されている人の状態をより詳細に確認することができる。
【００３０】
従って、被搬送体に係るプライバシー等を保護しつつ、利用者にとって望ましくない状況下で搬送体を利用することを未然に且つ自発的に回避し得る。
【図面の簡単な説明】
【００３１】
【図１】第１実施形態に係る情報表示システムの概要構成を示すブロック図等であり、（ａ）は当該ブロック図であり、（ｂ）は実施形態に係る制御端末の細部構成を示すブロック図である。
【図２】第１実施形態に係る各データベースの内容を例示する図であり、（ａ）は表示画像データベースの内容を例示する図（Ｉ）であり、（ｂ）は表示画像データベースの内容を例示する図（II）であり、（ｃ）はスケジュールデータベースの内容を例示する図である。
【図３】第１実施形態に係る着衣画像データベースの内容を例示する図である。
【図４】第１実施形態に係る情報表示動作の全体を示すフローチャートである。
【図５】第１実施形態に係る属性決定動作の細部を示すフローチャート等であり、（ａ）は当該フローチャートであり、（ｂ）は動体分類動作の細部を示すフローチャートである。
【図６】第１実施形態に係るコンテンツ生成動作を示すフローチャートであり、（ａ）は平常時コンテンツ生成動作を示すフローチャートであり、（ｂ）は異常時コンテンツ生成動作を示すフローチャートである。
【図７】第１実施形態に係る表示例を示す図であり、（ａ）は全体図であり、（ｂ）は人シンボルマークを例示する図である。
【図８】第２実施形態に係る情報表示システムの概要構成を示すブロック図である。
【図９】第２実施形態に係る属性決定動作の細部を示すフローチャートである。
【図１０】第３実施形態に係る属性決定動作の細部を示すフローチャートである。
【発明を実施するための形態】
【００３２】
次に、本発明を実施するための形態について、図面に基づいて説明する。なお、以下に説明する各実施形態は、例えばマンション等の集合住宅に設置されているエレベータの乗りかご内の状況を、当該エレベータの利用者に表示する情報表示システムに対して本発明を適用した場合の実施の形態である。
【００３３】
（Ｉ）第１実施形態
始めに、本発明に係る第１実施形態について、図１乃至図７を用いて説明する。なお、図１は第１実施形態に係る情報表示システムの概要構成を示すブロック図等であり、図２は第１実施形態に係る各データベースの内容を例示する図であり、図３は第１実施形態に係る着衣画像データベースの内容を例示する図である。また図４は第１実施形態に係る情報表示動作の全体を示すフローチャートであり、図５は第１実施形態に係る属性決定動作の細部を示すフローチャート等であり、図６は第１実施形態に係るコンテンツ生成動作を示すフローチャートである。更に図７は第１実施形態に係る表示例を示す図である。
【００３４】
図１（ａ）に示すように、第１実施形態に係る情報表示システムＳは、搬送手段の一例としての上記各乗りかごＥＶ内に夫々設置されているセンサ部ＳＳと、いわゆる人感センサ等からなる到着検出手段の一例としてのホールセンサＨＳと、液晶ディスプレイ等からなる表示手段の一例としてのホールディスプレイＤと、例えばサーバ装置として構成される制御端末ＳＶと、例えばハードディスクドライブ等からなる状態マーク記憶手段の一例及び生活情報記憶手段の一例としての記憶部ＳＴと、により構成されている。
【００３５】
この構成において、ホールセンサＨＳ及びホールディスプレイＤは、乗りかごＥＶ外の、例えば上記集合住宅の各階に設けられたエレベータホールＨに設置されている。またセンサ部ＳＳは、乗りかごＥＶ内を可視光で撮像する状態検出手段の一例及び撮像手段の一例としてのカメラ１０と、乗りかごＥＶ内の温度を検出する温度センサ１１と、乗りかごＥＶ内の湿度を検出する湿度センサ１２と、乗りかごＥＶ内の温度分布を検出する赤外線センサ１３と、により構成されている。更に記憶部ＳＴには、表示画像データベース２０と、ログデータベース２１と、生物画像データベース２２と、非生物画像データベース２３と、スケジュールデータベース２４と、着衣画像データベース２５と、が、夫々不揮発性に記憶されている。これら各データベースの細部については、後ほど図２及び図３を用いて説明する。
【００３６】
一方図１（ｂ）に示すように、制御端末ＳＶは、インターフェース１と、ＲＡＭ（Random Access Memory）２と、ＲＯＭ（Read Only Memory）３と、ＣＰＵ等からなる状態マーク生成手段の一例、表示制御手段の一例、属性検出手段の一例、読出手段の一例及び動体検出手段の一例としての処理部４と、キーボード及びマウス等からなる操作部５と、液晶ディスプレイ等からなるディスプレイ６と、により構成されている。この構成においてインターフェース１は、記憶部ＳＴ、センサ部ＳＳを構成する各センサ等、ホールディスプレイＤ及びホールセンサＨＳ夫々との間のデータの授受を制御する。ＲＯＭ３には、後述する第１実施形態に係る情報表示動作を処理部４に実行させるためのプログラムや必要なデータ等が不揮発性に記憶されている。そして処理部４は、操作部５において実行された操作と、センサ部ＳＳを構成するカメラ１０からの画像信号及び他の各センサからのセンサ信号と、に基づき、ＲＯＭ３に記憶されている上記プログラム等を読み出して実行することにより、第１実施形態に係る情報表示動作を実行する。即ち処理部４は、上記画像信号及びセンサ信号に基づいて乗りかごＥＶにより搬送されている人又は物の状態を検出し、その検出した状態を、記憶部ＳＴ内の各データベースに記憶されている画像データ等を用いてホールディスプレイＤに表示する。この場合にＲＡＭ２は、処理部４における当該情報表示動作に必要なデータを一時的に記憶する。更にディスプレイ６は、当該情報表示動作において制御端末ＳＶとして必要な情報を表示する。なおこの情報表示動作は、エレベータホールＨにエレベータの利用者がいる場合に実行される。当該利用者がエレベータホールＨに存在しているか否かは、ホールセンサＨＳからのセンサ信号に基づいて処理部４により判断される。
【００３７】
次に、記憶部ＳＴ内に記憶されている各データベースの細部について、図２及び図３を用いて説明する。
【００３８】
後ほど詳述するように、第１実施形態に係る情報表示動作では、乗りかごＥＶにより搬送されている人又は物の状態を個別に検出し、それらを示すシンボルマークをホールディスプレイＤに表示する（後述する図７参照）。このとき第１実施形態に係る情報表示動作では、検出した人又は物そのものの画像等は表示せず、それらを示すシンボルマークのみを表示する。ここで、人を表す当該シンボルマークである人シンボルマークでは、その枠部分の表示態様によりその人シンボルマークが表す人の年代及び性別を区別して表示する。また当該人シンボルマーク内の背景部分の表示態様により、その人シンボルマークが表す人が集合住宅の住人、即ち内部者であるか、それ以外の外部者であるか、を区別して表示する。
【００３９】
このため、表示画像データベース２０内には、図２（ａ）に例示する性別年代表示データ２０ａと、図２（ｂ）に例示する関係者属性表示データ２０ｂと、ホールディスプレイＤ上に表示するためのその他のシンボルマーク（後述する平常状態用のシンボルマーク及び異常状態用のシンボルマークを含む）に夫々相当するシンボルマークデータと、が記憶されている。このうち性別年代表示データ２０ａとしては、上記人シンボルマークの枠部分を表示するための表示データであって性別及び年代別に異なる表示態様を示す表示データが、図２（ａ）に例示するように記憶されている。また関係者属性表示データ２０ｂとしては、上記人シンボルマークの背景部分を表示するための表示データであって上記内部者と外部者とで異なる表示態様を示す表示データが、図２（ｂ）に例示するように記憶されている。なお図２（ｂ）に示す例では、内部者を示す人シンボルマークの背景部分は透明である旨が記憶されている。
【００４０】
次にスケジュールデータベース２４内には、図２（ｃ）に例示するスケジュールデータ２４ａが記憶されている。このスケジュールデータ２４ａは、第１実施形態に係る集合住宅の住人全てに適用される、例えば廃棄物の集積日及び時間帯と、その集積対象たる廃棄物と、の関係等を示すデータが、図２（ｃ）に例示するように記憶されている。またこのスケジュールデータ２４ａには、対応するスケジュールについてのコメント、そのスケジュールの優先度を示す情報及びそのスケジュールをホールディスプレイＤに表示する際の表示態様（画像編集方法）を示す情報が含まれている。
【００４１】
更に着衣画像データベース２５には、特に外部者として第１実施形態に係る集合住宅に来訪する可能性のある者の着衣に関するデータが、図３に例示するように記憶されている。具体的に図３に例示する場合には、外部者としての訪問販売員は一般に通常の（シンボルマーク等が表示されていない）スーツ姿で来訪する場合が多いと考えられるため、その旨が着衣画像データ２５ａとして記憶されている。また外部者としての引越業者や配送業者は一般に夫々の業者独自のユニフォーム姿で来訪する場合が多く、更にそのユニフォームには、例えば胸や背中の部分にその業者独自のシンボルマークが刺繍等により表示されている場合が多い。このため着衣画像データ２５ａとしては、夫々の業者のユニフォームについてのデータと、そのユニフォーム上に表示されているシンボルマークについてのデータと、が記憶されている。最後に外部者としての管理清掃員は一般に独自のユニフォーム姿で来訪する場合が多いものの、そのユニフォームにはシンボルマークが表示されていない場合が多い。このため着衣画像データ２５ａとしては、夫々の業者のユニフォームについてのデータのみが記憶されている。一方、内部者としてのその集合住宅の住人及び管理人並びに外部者としての住人の関係者には、上記着衣上の特徴点がない場合が多い。このため着衣画像データ２５ａとしては、着衣の特徴を示すデータ及びシンボルマークに関するデータは記憶されていない。
【００４２】
なお、上記生物画像データベース２２には、第１実施形態に係る集合住宅に入り得る一般的な生物の画像、例えば、人或いはペットとしての犬又は猫等の画像データが記憶されている。これらの画像データに相当する画像が、特許請求の範囲に記載された「生物マーク」に相当する。更に上記非生物画像データベース２３には、第１実施形態に係る集合住宅に入り得る一般的な非生物の画像、例えば、郵便物、宅配荷物又は店屋物等の画像データが記憶されている。これらの画像データに相当する画像が、特許請求の範囲に記載された「非生物マーク」に相当する。また、これらの物が静止している場合（後述する図４ステップＳ５；ＮＯ参照）、その画像データに相当する画像が、特許請求の範囲に記載された「静止体マーク」の一例に相当する。
【００４３】
次に、処理部４を中心に実行される、第１実施形態に係る情報表示動作について、具体的に図４乃至図７を用いて説明する。
【００４４】
図４に示すように、第１実施形態に係る情報表示動作としては、始めに制御端末ＳＶの電源が投入されると、カメラ１０を含むセンサ部ＳＳ、各ホールディスプレイＤ及び各ホールセンサＨＳと、制御端末ＳＶと、の接続動作が処理部４及びインターフェース１等により実行される（ステップＳ１）。次に処理部４は、いずれかのホールセンサＨＳによりエレベータホールＨ内に人が存在していることが検出されたか否かを、各ホールセンサＨＳ毎に確認する（ステップＳ２）。ステップＳ２の確認において人の存在が確認できない場合（ステップＳ２；ＮＯ）、処理部４は当該存在が確認できない状態が予め設定されている時間だけ継続しているか否かを確認する（ステップＳ１７）。ステップＳ１７の確認において当該予め設定された時間が経過していないとき（ステップ１７；ＮＯ）、処理部４は後述するステップＳ１６の動作に移行する。一方ステップＳ１７の動作において当該予め設定された時間が経過しているとき（ステップＳ１７；ＹＥＳ）、処理部４は、そのホールセンサＨＳが設置されているエレベータホールＨには人、即ち利用者は存在しないと認識し、そのエレベータホールＨに設置されているホールディスプレイＤの電源をオフとして（ステップＳ１８）、後述するステップＳ１６の動作に移行する。なお、上記ステップＳ１８の動作に移行した際にそのホールディスプレイＤの電源が既にオフとされている場合、処理部４はステップＳ１８の動作をスキップしてステップＳ１６の動作に移行する。
【００４５】
上記ステップＳ２の確認において、人の存在が確認された場合（ステップＳ２；ＹＥＳ）、処理部４は、当該存在が確認されたホールセンサＨＳが設置されているエレベータホールＨのホールディスプレイＤの電源を投入し（ステップＳ３）、更にそのエレベータホールＨに停止する乗りかごＥＶ内に設置されているカメラ１０からの画像信号をインターフェース１を介して取得する（ステップＳ４）。なお、上記ステップＳ３の動作に移行した際にそのホールディスプレイＤの電源が既にオンとされている場合、処理部４はステップＳ３の動作をスキップしてステップＳ４の動作に移行する。
【００４６】
次に処理部４は、取得した画像信号を解析し、撮像された乗りかごＥＶ内に動体（即ち動きがある物）が存在していることが検出されたか否かを確認する（ステップＳ５）。この動体としては、人、ペット等の動物、例えば配送業者に持たれることにより動いていることが検出される荷物等が含まれている。これらの動体に相当する画像が、特許請求の範囲に記載された「動体マーク」に相当する。ステップＳ５の確認において動体の存在が検出されない場合（ステップＳ５；ＮＯ）、処理部４は後述するステップＳ９の動作に移行する。
【００４７】
一方、ステップＳ５の確認において動体の存在が確認された場合（ステップＳ５；ＹＥＳ）、処理部４は、その検出された動体の数を取得し（ステップＳ６）、その検出された数の動体夫々の属性を決定する（ステップＳ７）。このステップＳ７において決定される属性には、人を含む生物であるか非生物であるかを示す動体属性、人である場合は外部者であるか内部者であるかを示す関係者属性、人である場合の具体的な職業（例えば、外部者である場合には引越業者であるか訪問販売員であるか等）を示す職業属性、並びに人である場合の年齢属性及び性別属性がある。このステップＳ７の動作については、後ほど図５を用いて詳述する。
【００４８】
ステップＳ７の動作により属性が決定されると、処理部４は、ステップＳ６の動作により数が検出されている動体の全てについて夫々に属性が決定されたか否かを確認する（ステップＳ８）。ステップＳ８の確認において属性が決定されていない動体がある場合（ステップＳ８；ＮＯ）、処理部４は上記ステップＳ７に戻って当該属性が未決定の動体について属性を決定する。一方ステップＳ８の確認において、検出された動体の全てについて夫々の属性が決定されている場合（ステップＳ８；ＹＥＳ）、処理部４は次に、乗りかごＥＶ内のカメラ１０以外のセンサからのセンサ信号を取得する（ステップＳ９）。これにより処理部４は、ステップＳ９の動作により取得したセンサ信号と、上記ステップＳ４の動作により取得した画像信号と、に基づき、乗りかごＥＶ内における異常状態の発生の有無を検出する（ステップＳ１０）。この異常状態について具体的には、例えば、カメラ１０の故障、エレベータ自体の故障、温度センサ１１からのセンサ信号が高温を示すことによる火災の発生、画像信号に基づいて検出される人の暴れ、長時間の滞留（しゃがみ込み、倒れ込み等）、人の連れ出しや囲い込み等が挙げられる。なお上記画像信号や各センサ信号に基づくこれら異常状態の検出動作自体は、例えば特開２００９−２６６０５２公報記載の技術を用いることができる。
【００４９】
ステップＳ１０の確認において何らかの異常状態が検出されたとき（ステップＳ１０；ＹＥＳ）、処理部４は図示しない通信回線を介して警備会社又はエレベータの管理会社等にその旨を自動的に通報する（ステップＳ１２）。次に処理部４は、乗りかごＥＶ内において上記異常状態が発生している旨の表示を行うための異常時コンテンツを生成する（ステップＳ１３）。その後処理部４は、後述するステップＳ１４の動作に移行する。なおこのステップＳ１３の動作については、後ほど図６（ｂ）を用いて詳述する。
【００５０】
一方、ステップＳ１０の確認において異常状態が検出されないとき（ステップＳ１０；ＮＯ）、処理部４は次に、乗りかごＥＶ内が平常状態である際にホールディスプレイＤに表示される平常時コンテンツを生成する（ステップＳ１１）。このステップＳ１１の動作についても、後ほど図６（ａ）を用いて詳述する。
【００５１】
次に処理部４は、上記ステップＳ１乃至Ｓ１３までの動作において取得したセンサ信号の内容及びホールディスプレイＤにおける表示内容等を含むログを生成し、ログデータベース２１に保存する（ステップＳ１４）。その後処理部４は、上記ステップＳ１１又はＳ１３のいずれか一方の動作により生成されたコンテンツを、その時点で電源が投入されているホールディスプレイＤに出力して表示する（ステップＳ１５）。
【００５２】
その後処理部４は、制御端末ＳＶとしての電源がオフとするための操作が操作部５において実行されたか否かを確認する（ステップＳ１６）。ステップＳ１６の確認において当該電源をオフとする操作が為されていないとき（ステップＳ１６；ＮＯ）、処理部４は上記ステップＳ２に戻って上述してきた動作を継続する。一方ステップＳ１６の確認において当該電源をオフとする操作が為されたとき（ステップＳ１６；ＹＥＳ）、処理部４は第１実施形態に係る情報表示動作を終了する。
【００５３】
次に、上記ステップＳ７の属性決定動作について、具体的に図５を用いて説明する。
【００５４】
図５（ａ）に示すように、第１実施形態に係る属性決定動作（ステップＳ７）において、処理部４は先ず、赤外線センサ１３からのセンサ信号を取得する（ステップＳ７０）。次に処理部４は、当該センサ信号に基づき、上記ステップＳ５の動作により検出された動体から熱が出ていると検出できるか否かを確認する（ステップＳ７１）。ステップＳ７１の確認において、動体から熱が出ていると検出されたとき（ステップＳ７１；ＹＥＳ）、処理部４は、検出されている動体の動体属性を「生物」であると設定する（ステップＳ７２）。次に処理部４は、カメラ１０からの画像信号に基づき、生物であると設定された動体において人としての顔が撮像できているか否かを確認する（ステップＳ７３）。このステップＳ７３の確認については、例えば後頭部と認識される画像信号しか取得できない場合や、人と人又は人と物とがカメラ１０の位置からみて重なった位置にあることで顔が撮像できない場合、或いは防止やサングラス又はマスク等により顔と認識できる画像信号が得られない場合に、顔が撮像できていないと確認され（ステップＳ７３；ＮＯ）、処理部４はその後、後述するステップＳ７９の動作に移行する。
【００５５】
一方、これらの状況にない場合、若しくは、これらの状況にあっても例えば特開２００７−１２８２６２公報に開示されているような技術を用いて顔を認識できた場合には、顔が撮像できたと確認される（ステップＳ７３；ＹＥＳ）。
【００５６】
ステップＳ７３の確認において顔が撮像できたと確認された場合（ステップＳ７３；ＹＥＳ）、処理部４は次に、検出された動体の動体属性を「人」と設定し（ステップＳ７４）、更にカメラ１０からの画像信号に基づいて当該顔の画像解析を行う（ステップＳ７５）。そして処理部４は、当該画像解析の結果により、動体属性が「人」とされた動体の性別及び年齢を判定し（ステップＳ７６）、その判定結果に対応させてその動体の性別属性を男又は女と設定する（ステップＳ７７）。なお上記ステップＳ７５乃至Ｓ７７までの動作としては、例えば特開２００３−２４２４８６公報に記載されている技術を用いることができる。その後処理部４は、後述するステップＳ８２の動作に移行する。
【００５７】
一方、上記ステップＳ７１の確認において、動体から熱が出ていないと検出されたとき（ステップＳ７１；ＮＯ）、処理部４は、検出されている動体の動体属性を「非生物」であると設定する（ステップＳ７８）。次に処理部４は、カメラ１０からの画像信号に基づき、検出されている動体を具体的に分類する（ステップＳ７９）。このステップＳ７９の動作については、後ほど図５（ｂ）を用いて詳述する。
【００５８】
次に処理部４は、検出された動体の性別属性及び年齢属性を、夫々「推定不可」であることを示す初期値に設定する（ステップＳ８０、Ｓ８１）。
【００５９】
次に処理部４は、カメラ１０からの画像信号に基づき、検出された動体における服装等の撮像がされているか否かを確認する（ステップＳ８２）。ステップＳ８２の確認において服装等の撮像がされていない場合（ステップＳ８２；ＮＯ）、処理部４は、その動体の関係者属性及び職業属性を、夫々「推定不可」であることを示す初期値に設定する（ステップＳ９０、Ｓ９１）。その後処理部４は、上記ステップＳ８の確認に移行する。
【００６０】
一方上記ステップＳ８２の確認において、服装等の撮像がされている場合（ステップＳ８２；ＹＥＳ）、処理部４は、当該画像信号に基づいてその服装等を解析し（ステップＳ８３）、その解析結果を着衣画像データベース２５内の着衣画像データ２５ａと照合して、撮像された服装等の着衣情報（即ち、例えば引越業者として着衣画像データ２５ａに記憶されているシンボルマークが撮像されているか否か等）を取得する（ステップＳ８４）。
【００６１】
次に処理部４は、ステップＳ８４の動作により取得された着衣情報により、外部者としての着衣の特徴が示されているか否かを確認する（ステップＳ８５）。これにより処理部４は、外部者としての着衣の特徴が示されている場合（ステップＳ８５；ＹＥＳ）、当該特徴に基づき、検出された動体の関係者属性を「外部者」と設定する（ステップＳ８８）と共に、当該着衣情報に基づいてその外部者の職業属性（具体的には、引越業者であるか訪問販売員であるか等）を設定する（ステップＳ８９）。その後処理部４は、上記ステップＳ８の確認に移行する。
【００６２】
一方上記ステップＳ８５の確認において、外部者としての着衣の特徴が示されていない場合（ステップＳ８５；ＮＯ）、処理部４は、検出された動体の関係者属性を「内部者」と設定する（ステップＳ８６）と共に、その内部者の職業属性を「住人」と設定する（ステップＳ８７）。その後処理部４は、上記ステップＳ８の確認に移行する。
【００６３】
次に、上記ステップＳ７９の動体分類動作について、具体的に図５（ｂ）を用いて説明する。
【００６４】
図５（ｂ）に示すように、ステップＳ７９の動体分類動作として処理部４は、先ずその検出された動体における動体属性が「生物」と設定されているか否かを確認する（ステップＳ７９０。上記ステップＳ７２又はＳ７８参照。）。ステップＳ７９０の確認において動体属性が「生物」とされている場合（ステップＳ７９０；ＹＥＳ。上記ステップＳ７２参照。）、処理部４は次に、カメラ１０からの画像信号を生物画像データベース２２と照合し（ステップＳ７９１）、検出された動体の動体属性を具体的に人、犬又は猫等と特定する（ステップＳ７９２）。その後処理部４は上記ステップＳ８０の動作に移行する。一方、ステップＳ７９０の確認において動体属性が「非生物」とされている場合（ステップＳ７９０；ＹＥＳ。上記ステップＳ７８参照。）、処理部４は次に、カメラ１０からの画像信号を非生物画像データベース２３と照合し（ステップＳ７９３）、検出された動体の動体属性を具体的に宅配荷物又は店屋物等と特定する（ステップＳ７９４）。その後処理部４は上記ステップＳ８０の動作に移行する。
【００６５】
次に、図４に示すステップＳ１１の動作について、具体的に図６（ａ）を用いて説明する。
【００６６】
上記ステップＳ１１としての平常時コンテンツ生成動作においては、図６（ａ）に示すように、処理部４は先ず、その時点で決定されている乗りかごＥＶ内の人又は物の属性を取得する（ステップＳ１１０。上記ステップＳ７参照。）。次に処理部４は、カメラ１０以外の各センサからのセンサ信号を取得し（ステップＳ１１１）、更に処理部４内の図示しないタイマにより計時されている現在時刻を取得する（ステップＳ１１２）。その後処理部４は、ステップＳ１１０の動作により取得した属性を示す表示用のシンボルマークを表示画像データベース２０内に記憶されているシンボルマークから選択し（ステップＳ１１３）、更にスケジュールデータベース２４内の記憶されているスケジュールデータ２４ａ等から必要なデータを取得して平常時表示用のコンテンツを生成する（ステップＳ１１４）。なおこのステップＳ１１４の動作においてスケジュールデータ２４ａの内容をコンテンツ内に含ませる場合には、当該スケジュールデータ２４ａに含まれている優先度及び画像編集方法に則って当該コンテンツが生成される。この画像編集方法には、具体的には二つ以上のマークを結合する方法、マークを回転させる方法、マークを拡大又は縮小させて表示する方法等がある。更に二つ以上のマークを結合する方法に係るパラメータとしては当該結合の向きや結合されるマークの最大数等がスケジュールデータ２４ａとして記憶されており、またマークを回転させる方法に係るパラメータとしては当該回転の向きや角度がスケジュールデータ２４ａとして記憶されている。処理部４はこれらのパラメータに従ってコンテンツを生成する。その後処理部４は上記ステップＳ１４の動作に移行する。
【００６７】
次に、図４に示すステップＳ１３の動作について、具体的に図６（ｂ）を用いて説明する。
【００６８】
上記ステップＳ１３としての異常時コンテンツ生成動作においては、図６（ｂ）に示すように、処理部４は先ず、その時点で決定されている乗りかごＥＶ内の人又は物の属性を取得する（ステップＳ１３０。上記ステップＳ７参照。）。次に処理部４は、カメラ１０以外の各センサからのセンサ信号を取得し（ステップＳ１３１）、更に処理部４内の上記タイマにより計時されている現在時刻を取得する（ステップＳ１３２）。その後処理部４は、上記ステップＳ１０の確認により判定されている異常状態に対応するシンボルマークデータ等を表示画像データベース２０内に記憶されているシンボルマークから選択して異常時表示用のコンテンツを生成する（ステップＳ１３３）。その後処理部４は上記ステップＳ１４の動作に移行する。
【００６９】
以上の図４乃至図６を用いて説明した第１実施形態に係る情報表示動作の結果としてホールディスプレイＤ上に表示される画像例を、図７を用いて説明する。
【００７０】
今、カメラ１０からの画像信号や赤外線センサ１３からのセンサ信号等に基づき、乗りかごＥＶ内には、外部者たる６０歳以上の男性が一人、内部者たる４０歳代から５０歳代の男性が一人、内部者たる１０歳代以下の男性が一人、内部者たる４０歳代から５０歳代の女性が一人、の合計四人が乗車していることが、処理部４により決定されているとする（図５参照）。この場合、利用者が存在しているエレベーターホールＨのホールディスプレイＤには（図４ステップＳ２及びＳ３参照）、例えば図７（ａ）に例示する画像が表示される。この画像内には、上記乗車している四人の者夫々を個別に示す人シンボルマーク３４が四つ表示される。そして、図７（ｂ）に例示するように、各人シンボルマーク３４夫々の枠部分３４ａの表示態様が、属性決定動作（図５参照）により決定された年代及び性別に基づき、図２（ａ）に例示する性別年代表示データ２０ａにより示されている表示態様とされる。また、各人シンボルマーク３４夫々の背景部分３４ｂの表示態様が、図２（ｂ）に例示する関係者属性表示データ２０ｂにより示されている表示態様（外部者一名と内部者三名）とされる。更に人シンボルマーク３４には、現在時刻が廃棄物を集積する時間帯であることを示すマーク３４ｃが含まれる。
【００７１】
更に、ホールディスプレイＤには、これら人シンボルマーク３４に加えて、現在時刻表示３０、環境表示３１、乗車人員表示３２及びコメント表示３３が含まれる。このうち現在時刻表示３０は、図６ステップＳ１１２又はＳ１３２の動作により取得された現在時刻を示す表示である。また環境表示３１は、図６ステップＳ１１１又はＳ１３１の動作により取得された乗りかごＥＶ内の温度及び湿度を示す表示である。更に乗車人員表示３２は、図４ステップＳ６の動作により取得された乗車人数を示す表示である。またコメント表示３３は、図６ステップＳ１１４又はＳ１３３により取得された図２（ｃ）に例示されるコメントを示す表示である。
【００７２】
以上夫々説明したように、第１実施形態に係る情報表示動作によれば、乗りかごＥＶに乗車している人等の状態を示すシンボルマークを各人等毎に生成し、その生成されたシンボルマークを、乗りかごＥＶ外の位置に設置されたホールディスプレイＤに各人等毎に表示させるので、当該人等自体の画像等を表示させないことで当該人等に係るプライバシー等を保護することができる。また乗りかごＥＶ内に入ることなく、乗車している人等の状態を乗りかごＥＶ外から確認することができる。
【００７３】
更に、ホールディスプレイＤがエレベータホールＨに設置されているので、乗りかごＥＶの利用者が、乗りかごＥＶ内に入ることなく乗車している者等の状態を乗りかごＥＶ外から確認することができる。
【００７４】
更にまた、乗りかごＥＶにより搬送されている人の属性に対応する人シンボルマーク３４を、当該人シンボルマーク３４が対応する人毎にホールディスプレイＤに表示させるので、搬送されている人のプライバシー等を保護しつつ且つ乗りかごＥＶ内に入ることなく、当該搬送されている人の状態を乗りかごＥＶ外から確認することができる。
【００７５】
また、乗りかごＥＶにより搬送されている人の年齢幅に対応する人シンボルマーク３４の枠部分３４ａを、当該人シンボルマーク３４が対応する人毎にホールディスプレイＤに表示させるので、搬送されている人の状態をより詳細に確認することができる。
【００７６】
更に、乗りかごＥＶ内に乗車している物が生物であるか非生物であるかに基づき、異なるシンボルマークをホールディスプレイＤに表示させるので、乗車している物が生物であるか被生物であるかを乗りかごＥＶ内に入ることなく乗りかごＥＶ外から確認することができる。
【００７７】
更にまた、乗りかごＥＶ内の物が動いているか否かに基づき、異なるシンボルマークをホールディスプレイＤに表示させるので、乗りかごＥＶ内の物が動体であるか否かを乗りかごＥＶ内に入ることなく乗りかごＥＶ外から確認することができる。
【００７８】
また、エレベータの利用者に適したコメント表示３３及び環境表示３１等を人シンボルマーク３４等と共にホールディスプレイＤに表示させるので、エレベータを利用する利用者の利便性が向上する。
【００７９】
更に、エレベータホールＨに人が到着したことが検出されたとき、当該人が到着した位置に設置されているホールディスプレイＤにおける表示を開始するので、エレベータを利用する人がそのための操作等を開始する前に、乗車している物の状態を乗りかごＥＶ外から確認することができる。
【００８０】
なお、上述した第１実施形態において、人シンボルマーク３４内のマーク３４ｃをより具体的にすることもできる。例えば廃棄物の場合、現在時刻に応じて、可燃物を廃棄する日の場合は紙を捨てる動作を表すマーク３４ｃを表示し、不燃物を廃棄する日の場合は缶やペットボトルを捨てる動作を表すマーク３４ｃを表示するように構成しても良い。
【００８１】
また、検出した動体が人以外の生物である場合は、その生物を更に具体化したマーク３４ｃ、例えば犬や猫のマーク３４ｃを表示するように構成しても良い。この場合の枠部分３４は例えば非表示とし、背景部分３４ｂについては、内部者の飼うペットであるか否かにより、図２（ｂ）に例示される関係者属性データ２０ｂに係る表示態様を区分すれば好適である。
【００８２】
（II）第２実施形態
次に、本発明に係る他の実施形態である第２実施形態について、図８及び図９を用いて説明する。なお、図８は第２実施形態に係る情報表示システムの概要構成を示すブロック図であり、図９は第２実施形態に係る属性決定動作の細部を示すフローチャートである。また、以下の説明において、第１実施形態に係る情報表示システムＳ１と同様の部材及び動作については、当該情報表示システムＳ１と同様の部材番号及びステップ番号を付して、細部の説明は省略する。
【００８３】
上述した第１実施形態においては、集合住宅の内部者については一括してその職業属性を「住人」と設定した。これに対し、以下に説明する第２実施形態は、内部者たる住人の職業属性を、より具体的に特定する。
【００８４】
このため、図８に示すように、第２実施形態に係る情報表示システムＳ２は、第１実施形態に係る情報表示システムにおける記憶部ＳＴに代えて、顔画像データベース２６が追加された記憶部ＳＴ２を含んでいる。この顔画像データベース２６には、集合住宅に居住する住人の顔を撮像した顔画像データと、その顔画像データに対応する住人の性別及び年齢を示すデータと、が不揮発性に記憶されている。その他の情報表示システムＳ２の構成は第１実施形態に係る情報表示システムＳ１と同一であるので、細部の説明は省略する。
【００８５】
次に、処理部４を中心に実行される、第２実施形態に係る情報表示動作について、具体的に図９を用いて説明する。なお、第２実施形態に係る情報表示動作の全体は図４に示した第１実施形態に係る情報表示動作の全体と同一であるので、ここでは説明を省略する。第２実施形態に係る情報表示動作では、第１実施形態に係る情報表示動作に対して、ステップＳ７としての属性決定動作の内容が異なる。
【００８６】
即ち、第２実施形態に係る情報表示動作における属性決定動作では、図９に示すように、第１実施形態に係る情報表示動作における属性決定動作（図５参照）と同様のステップＳ７０乃至Ｓ７５及びＳ７８乃至Ｓ８１の動作が実行される。なお第２実施形態に係るステップＳ７３の確認において、処理部４は、特に後頭部と認識される画像信号しか取得できない場合や、人と人又は人と物とがカメラ１０の位置からみて重なった位置にあることで顔が撮像できない場合に、顔が撮像できていないと確認する。
【００８７】
次に処理部４は、ステップＳ７５の動作による画像解析の結果により、属性が「人」とされた動体を撮像したカメラ１０の画像信号に基づき、第２実施形態に係る顔画像データベース２６に記憶されている顔画像データと照合する（ステップＳ１００）。このステップＳ１００の照合により、顔画像データがない顔が撮像されている場合（ステップＳ１００；ＮＯ）、処理部４は第１実施形態に係る情報表示動作における属性決定動作と同様のステップＳ８８及びＳ７６の動作を実行し、その後第１実施形態に係る情報表示動作における属性決定動作と同様のステップＳ７７の動作に移行する。
【００８８】
一方、ステップＳ１００の照合において、顔画像データとして記憶されている顔が撮像されている場合（ステップＳ１００；ＹＥＳ）、処理部４は第１実施形態に係る情報表示動作における属性決定動作と同様のステップＳ８６の動作を実行し、その後上記顔画像データと共に記憶されている性別及び年齢を示すデータに基づき、撮像された住人の性別及び年齢を示すデータを取得する（ステップＳ１０１）。その後処理部４は、上記ステップＳ１０１又はＳ７６の動作により取得された性別及び年齢を示すデータに基づき、第１実施形態に係る情報表示動作における属性決定動作と同様のステップＳ７７の動作を実行する。
【００８９】
その後処理部４は、第１実施形態に係る情報表示動作における属性決定動作と同様のステップＳ８２乃至Ｓ８４、Ｓ８９並びにＳ９１の動作を実行し、第１実施形態に係る情報表示動作と同様のステップＳ８の動作に移行する（図４参照）。なおこの時のステップＳ８９及びＳ９１の動作において処理部４は、第１実施形態の場合と同様に、着衣情報に基づいてその内部者及び外部者の職業属性を設定する。
【００９０】
以上の動作により、第２実施形態に係る職業属性の設定動作が実行された結果、集合住宅の住人についての職業属性がされるため、第２実施形態に係るホールディスプレイＤ上の表示としては、この設定された職業を示す表示が併せて表示されることとなる。
【００９１】
以上説明した第２実施形態に係る情報表示動作によっても、第１実施形態に係る情報表示動作と同様の作用効果を奏することができる。これに加えて第２実施形態に係る情報表示動作では、住人についての職業属性まで設定されるので、より詳細にホールディスプレイＤ上の表示を行うことができることになる。
【００９２】
（III）第３実施形態
最後に、本発明に係る更に他の実施形態である第３実施形態について、図１０を用いて説明する。なお、図１０は第３実施形態に係る属性決定動作の細部を示すフローチャートである。また、以下の説明において、第１実施形態に係る情報表示システムＳ１と同様の部材及び動作については、当該情報表示システムＳ１と同様の部材番号及びステップ番号を付して、細部の説明は省略する。更に、第３実施形態に係る情報表示システムのハードウエア的な構成は、第２実施形態に係る情報表示システムＳ２と同様であるので、細部の説明は省略する。
【００９３】
上述した第２実施形態においては、集合住宅の内部者についてはその職業属性まで具体的に特定した。これに対し、以下に説明する第３実施形態では、第２実施形態と同様の顔画像データを用いつつも、住人の職業属性の具体的な特定までは行わない。また、第３実施形態に係る情報表示動作の全体は図４に示した第１実施形態に係る情報表示動作の全体と同一であるので、ここでは説明を省略する。第３実施形態に係る情報表示動作では、第１実施形態に係る情報表示動作に対して、ステップＳ７としての属性決定動作の内容が異なる。
【００９４】
即ち、第３実施形態に係る情報表示動作における属性決定動作では、図１０に示すように、第１実施形態に係る情報表示動作における属性決定動作（図５参照）と同様のステップＳ７０乃至Ｓ７５及びＳ７８乃至Ｓ８１の動作が実行される。次に処理部４は、図９に示した第２実施形態に係る顔画像データとの照合動作と同様の照合動作を実行する（ステップＳ１００）。このステップＳ１００の照合により、顔画像データがない顔が撮像されている場合（ステップＳ１００；ＮＯ）、処理部４は第１実施形態に係る情報表示動作における属性決定動作と同様のステップＳ８８及びＳ７６並びにＳ７７の動作を実行する。その後処理部４は、上記顔画像データと共に記憶されている性別及び年齢を示すデータに基づき、撮像された住人の年齢属性を設定し（ステップＳ１１０）、その後第１実施形態に係る情報表示動作における属性決定動作と同様のステップＳ８２の動作に移行する。これ以降は、第１実施形態に係る情報表示動作における属性決定動作と同様のステップＳ８２乃至Ｓ８４、Ｓ８９並びにＳ９１の動作を実行し、第１実施形態に係る情報表示動作と同様のステップＳ８の動作に移行する（図４参照）。
【００９５】
一方、ステップＳ１００の照合において、顔画像データとして記憶されている顔が撮像されている場合（ステップＳ１００；ＹＥＳ）、処理部４は第１実施形態に係る情報表示動作における属性決定動作と同様のステップＳ８６の動作を実行し、その後上記顔画像データと共に記憶されている性別及び年齢を示すデータに基づき、撮像された住人の性別及び年齢を示すデータを取得する（ステップＳ１０１）。その後処理部４は、上記ステップＳ１０１の動作により取得された性別及び年齢を示すデータに基づき、第１実施形態に係る情報表示動作における属性決定動作と同様のステップＳ７７の動作を実行する。
【００９６】
その後処理部４は、上記顔画像データと共に記憶されている性別及び年齢を示すデータに基づき、撮像された住人の年齢属性を設定し（ステップＳ１１０）、更にその職業属性を「住人」と設定する（ステップＳ１１１）。その後処理部４は、第１実施形態に係る情報表示動作と同様のステップＳ８の動作に移行する（図４参照）。このとき、ステップＳ１１１の動作から直接ステップＳ８の動作に移行することにより、当該住人に対しては具体的な細かい職業属性の設定まではなされないことになる。
【００９７】
以上の動作により、第３実施形態に係る職業属性の設定動作が実行された結果、集合住宅の住人についての年齢属性のみが具体的に設定されるため、第３施形態に係るホールディスプレイＤ上の表示としては、この設定された年齢属性に応じた人シンボルマーク３４の枠部分３４ａが表示されることとなる。
【００９８】
以上説明した第３実施形態に係る情報表示動作によっても、第１実施形態に係る情報表示動作と同様の作用効果を奏することができる。
【００９９】
なお、上述した各実施形態では、乗りかごＥＶ内において動体の存在が検出された場合のみ上記ステップＳ７の属性決定を行う構成としたが（図４ステップＳ５；ＮＯ参照）、これ以外に、例えば敢えて静止している人が乗りかごＥＶ内に存在している場合に対応すべく、ステップＳ４の動作により取得した画像信号をより詳細に解析し、たとえ静止していても人等の生物である旨を検出して対応するマークをホールディスプレイＤ上に表示するように構成しても良い。
【０１００】
また、上述した各実施形態では、集合住宅に設置されたエレベータにおける情報表示動作に対して本発明を適用した場合について説明したが、第１実施形態については、集合住宅以外に、一般のショッピングセンターや会社ビルに設置されたエレベータにおける情報表示動作に対して適用することも可能である。
【０１０１】
更に、図４、図５、図６、図９及び図１０に示したフローチャートに対応するプログラムをフレキシブルディスク又はハードディスク等の記録媒体に記録しておき、或いはインターネット等のネットワークを介して取得して記録しておき、これらを汎用のマイクロコンピュータ等により読み出して実行することにより、当該マイクロコンピュータ等を実施形態に係る処理部４として機能させることも可能である。
【産業上の利用可能性】
【０１０２】
以上夫々説明したように、本発明は情報表示システムの分野に利用することが可能であり、特にエレベータ等の共用される搬送手段内の状況を表示する情報表示システムの分野に適用すれば特に顕著な効果が得られる。
【符号の説明】
【０１０３】
１    インターフェース
２    ＲＡＭ
３    ＲＯＭ
４    処理部
５    操作部
６    ディスプレイ
１０    カメラ
１１    温度センサ
１２    湿度センサ
１３    赤外線センサ
２０    表示画像データベース
２０ａ    性別年代表示データ
２０ｂ    関係者属性表示データ
２１    ログデータベース
２２    生物画像データベース
２３    非生物画像データベース
２４    スケジュールデータベース
２４ａ    スケジュールデータ
２５    着衣画像データベース
２５ａ    着衣画像データ
２６    顔画像データベース
３０    現在時刻表示
３１    環境表示
３２    乗車人員表示
３３    コメント表示
３４    人シンボルマーク
３４ａ    枠部分
３４ｂ    背景部分
３４ｃ    マーク
Ｓ、Ｓ２    情報表示システム
ＥＶ    乗りかご
ＳＳ    センサ部
ＨＳ    ホールセンサ
Ｄ    ホールディスプレイ
ＳＶ    制御端末
ＳＴ、ＳＴ２    記憶部
Ｈ    エレベータホール
【図１】
0005609180.tif 000002
【図３】
0005609180.tif 000003
【図４】
0005609180.tif 000004
【図５】
0005609180.tif 000005
【図６】
0005609180.tif 000006
【図８】
0005609180.tif 000007
【図９】
0005609180.tif 000008
【図１０】
0005609180.tif 000009
【図２】
0005609180.tif 000010
【図７】
0005609180.tif 000011